(57)【要約】【課題】  ノズルを収納位置から動かさずにノズル全体または一部を清潔にする人体局部洗浄装置。【解決手段】  人体局部洗浄装置であって、内周面に複数条の螺旋溝を有する円筒形状の回転体と、回転体に回転体と同軸に設けられた回転ギヤと、回転ギヤを回転させるモータと、回転体の内部に設けられ、一端部に複数条の螺旋溝のうち対応する螺旋溝とそれぞれ嵌合する複数の突起を有し、回転体の回転に伴って後方の収納位置と前方の局部洗浄位置との間で回転体の軸方向に沿って進退移動が可能なノズルと、回転体の外径よりも大きい内径を有するカバーと、ノズルを清潔にする取付部材と、を備え、取付部材は、ノズルの上方に設けられているカバーの第一開口部に取り付けられている。【選択図】  図２
2020041361.tif 000002
【特許請求の範囲】
【請求項１】
人体の局部を洗浄する局部洗浄装置であって、
内周面に複数条の螺旋溝を有する円筒状の回転体と、
前記回転体に前記回転体と同軸に設けられた回転ギヤと、
前記回転ギヤを回転させるモータと、
前記回転体の内部に設けられ、一端部に前記複数条の螺旋溝のうち対応する螺旋溝とそれぞれ嵌合する複数の突起を有し、前記回転体の回転に伴って後方の収納位置と前方の局部洗浄位置との間で前記回転体の軸方向に沿って進退移動が可能なノズルと、
前記回転体の外径よりも大きい内径を有するカバーと、
前記ノズルを清潔にする取付部材と、
を備え、
前記取付部材は、前記ノズルの上方に設けられている前記カバーの第一開口部に取り付けられている、
人体局部洗浄装置。
【請求項２】
請求項１に記載の人体局部洗浄装置であって、
前記取付部材は洗浄水を噴出可能な第一噴出孔を有し、
前記洗浄水は、前記カバーの第一開口部および前記回転体の第二開口部を通して、前記ノズルを洗浄する、
人体局部洗浄装置。
【請求項３】
請求項２に記載の人体局部洗浄装置であって、
前記ノズルの他端部に前記洗浄水を噴出可能な第二噴出孔を有し、
前記ノズルは前記第二噴出孔のある平面部を有する、
人体局部洗浄装置。
【請求項４】
請求項３に記載の人体局部洗浄装置であって、
前記ノズルはさらに曲面部を有し、
前記洗浄水は前記第一噴出孔から前記平面部と前記曲面部の境界部へ噴出される、
人体局部洗浄装置。
【請求項５】
請求項１乃至４のいずれか１項に記載の人体局部洗浄装置であって、
前記カバーは排水孔を有し、
前記排水孔は前記カバーの下部に位置する、
人体局部洗浄装置。
【発明の詳細な説明】
【技術分野】
【０００１】
本発明はノズルを洗浄可能なノズル洗浄器を有する人体局部洗浄装置に関する。
【背景技術】
【０００２】
従来、この種の人体局部洗浄装置としては、略洋杯状の弁操作体を含む弁装置本体と、弁操作体内で回動するシリンダと、先端部に洗浄水を噴出可能なノズル孔を有し、回動するシリンダ内を摺動するノズルと、シリンダ後端の外周部に設けられた外歯の駆動ギヤと、駆動ギヤを回転させる電動機と、を備えるものが提案されている（例えば、特許文献１参照）。この局部洗浄装置は、シリンダが外部に取り付けられた電動機によって回転駆動する事によってノズルをシリンダの軸方向に進退させることができ、シリンダ先端に取り付けられたノズル洗浄器によってノズル全体をノズルの進退中に洗浄することができる。
【先行技術文献】
【特許文献】
【０００３】
【特許文献１】特開２００１−２７１４０３号公報
【発明の概要】
【発明が解決しようとする課題】
【０００４】
上述した人体局部洗浄装置では、ノズルを洗浄する際には、ノズルを後方の収納位置から前方の局部洗浄位置まで送出する必要があり、ノズルを収納位置から動かさずにノズル全体を洗浄することができない。
【０００５】
本発明の人体局部洗浄装置は、ノズルを収納位置から動かさずにノズル全体または一部を清潔にすることを主目的とする。
【課題を解決するための手段】
【０００６】
本発明の人体局部洗浄装置は、上述の主目的を達成するために以下の手段をとった。
本発明の人体局部洗浄装置は、
人体の局部を洗浄する局部洗浄装置であって、
内周面に複数条の螺旋溝を有する円筒状の回転体と、
前記回転体に前記回転体と同軸に設けられた回転ギヤと、
前記回転ギヤを回転させるモータと、
前記回転体の内部に設けられ、一端部に前記複数条の螺旋溝のうち対応する螺旋溝とそれぞれ嵌合する複数の突起を有し、前記回転体の回転に伴って後方の収納位置と前方の局部洗浄位置との間で前記回転体の軸方向に沿って進退移動が可能なノズルと、
前記回転体の外径よりも大きい内径を有するカバーと、
前記ノズルを清潔にする取付部材と、
を備え、
前記取付部材は、前記ノズルの上方に設けられている前記カバーの第一開口部に取り付けられている、
ことを要旨としている。
この発明の人体局部洗浄装置では、前記取付部材は、ノズルの上方に設けられている前記カバーの第一開口部から、洗浄水によるノズル洗浄や紫外線照射によるノズル除菌を行うことで、ノズルを清潔にする。これにより、ノズルを収納位置から動かさずにノズル全体または一部を清潔にすることができる。
こうした本発明の人体局部洗浄装置において、前記取付部材は洗浄水を噴出可能な第一噴出孔を有し、前記洗浄水は、前記カバーの第一開口部および前記回転体の第二開口部を通して、前記ノズルを洗浄する。これにより、ノズルを収納位置から動かさずにノズル全体または一部を洗浄することができる。
また、本発明の人体局部洗浄装置において、前記ノズルの他端部に前記洗浄水を噴出可能な第二噴出孔を有し、前記ノズルは前記第二噴出孔のある平面部を有する。これにより、局部を洗浄する際に、広範囲に洗浄水をかけることができる。
また、本発明の人体局部洗浄装置において、前記ノズルはさらに曲面部を有し、前記洗浄水は前記第一噴出孔から前記平面部と前記曲面部の境界部へ噴出される。これにより、前記ノズルの前記平面部だけでなく曲面部にも洗浄水で洗浄することができる。
さらに、本発明の人体局部洗浄装置において、前記カバーは排水孔を有し、前記排水孔が前記カバーの下部に位置する。これにより、前記回転体と前記カバーとの間の水を良好に排出することができる。
【図面の簡単な説明】
【０００７】
【図１】本実施形態の人体局部洗浄装置を含む衛生洗浄便座装置１０が取り付けられた便器１の外観斜視図である。
【図２】人体局部洗浄装置に含まれるノズルユニット２０の外観斜視図である。
【図３】（ａ）ノズル３０が局部洗浄位置にある状態のノズルユニット２０の側面図および（ｂ）ノズル３０が収納位置にある状態のノズルユニット２０の側面図である。
【図４】（ａ）ノズル３０が収納位置にある状態のノズルユニット２０の上面図、（ｂ）前面図および（ｃ）後面図である。
【図５】ノズルユニット２０の分解斜視図である。
【図６】（ａ）ノズル３０の外観斜視図および（ｂ）Ａ−Ａ、（ｃ）Ｂ−Ｂ断面図である。
【図７】シリンダ４０を構成する半円筒部材４１，４２の（ａ）外観斜視図および（ｂ）内周面側の平面図である。
【図８】ノズル３０が収納位置にある状態のノズルユニット２０の横断面図である。
【図９】収納時ノズル洗浄器７０の（ａ）上面図、（ｂ）側面図、（ｃ）下面図および（ｄ）横断面図である。
【図１０】ノズルユニット２０を二本使用した場合のノズルユニットの外観斜視図である。
【発明を実施するための形態】
【０００８】
本発明を実施するための形態について図面を参照しながら説明する。なお、以下の説明において、「前方」とはノズル３０の収納位置から局部洗浄位置への方向を指す一方、「後方」とはノズル３０の局部洗浄位置から収納位置への方向を指す。
図１は本実施形態の人体局部洗浄装置を含む衛生洗浄便座装置１０が取り付けられた便器１の外観斜視図である。図２は人体局部洗浄装置に含まれるノズルユニット２０の外観斜視図である。図３はノズル３０が局部洗浄位置にある状態のノズルユニット２０の側面図と、ノズル３０が収納位置にある状態のノズルユニット２０の側面図である。図４はノズル３０が収納位置にある状態のノズルユニット２０の上面図、前面図および後面図である。図５はノズルユニット２０の分解斜視図である。便器１は、洋式便器であり、便器１の上面に衛生洗浄便座装置１０が設置されている。衛生洗浄便座装置１０は、図１に示すように、便器１の後方に設置されている便座装置本体１２と、便座装置本体１２に回動自在に支持された便座１４と、便座装置本体１２に回動自在に支持された便蓋１６と、使用者により操作される操作パネル１８と、を備える。
便座装置本体１２は、給水管（水道配管）に接続された洗浄水流路、止水弁、熱交換ユニット、洗浄の強さを調整する脈動ポンプ、洗浄水を噴出するノズルユニット２０、第一切り替えバルブ、第二切り替えバルブなどを含む人体局部洗浄装置を備えており、これらは樹脂製のハウジング内に収容されている。熱交換ユニットは、水タンクやヒータ、温度センサが設けられ、給水管からの水をヒータによって温水にする。
また、便座装置本体１２は、衛生洗浄便座装置１０を制御する図示しない制御装置を備える。制御装置は、操作パネル１８や着座センサ１３（図１参照）、水タンクの温度センサなどからの信号に基づいて、水タンク内のヒータや脈動ポンプ、ノズルユニット２０、切り替えバルブを制御する。操作パネル１８には、図示しないが、おしり洗浄を指示するおしり用洗浄スイッチやビデ洗浄を指示するビデ用洗浄スイッチ、洗浄の強さを調整するための洗浄強さ調整スイッチ、洗浄位置を前後に調整するための洗浄位置調整スイッチ（前スイッチ、後ろスイッチ）、洗浄の停止を指示する停止スイッチなどが設けられている。
【０００９】
図２に示すように、ノズルユニット２０は、前方に向けて傾斜したノズル３０、ノズル３０の外部に設けられたシリンダ４０およびシリンダ４０の外径よりも大きい内径を有するカバー５０を備える。また、ノズルユニット２０は、ノズル洗浄器６０と収納時ノズル洗浄器７０も備える。シリンダ４０と同軸に設けられた回転ギヤ４３は、モータ２６より回転される駆動ギヤ２８と係合し、モータ２６の回転が伝達されることで回転する。シリンダ４０は、シリンダ４０にある回転ギヤ４３の回転に伴って、回転する。シリンダ４０が回転すると、ノズル３０のノズルテール３５に設けられた幅狭螺旋突起３６、幅広螺旋突起３７がシリンダ４０の内周面に形成された幅狭螺旋溝４６、幅広螺旋溝４７に沿って相対的に移動し、ノズル３０は局部洗浄位置に向かって進出する。また、モータ２６を逆回転させることにより回転ギヤ４３を逆回転させ、ノズル３０を収納位置に後退させ、シリンダ４０内に収納させる。ノズル３０が局部洗浄位置（図３（ａ）参照）と収納位置（図３（ｂ）参照）との間で進退移動している際にノズル洗浄器６０はノズル３０を洗浄する一方、ノズル３０が収納位置に収納されている際に収納時ノズル洗浄器７０はノズル３０を洗浄する。給水管からの水がホース２４へ供給された場合、ホース２４からの水はノズル洗浄器６０からの洗浄水としてノズル３０の洗浄に活用される。同様に、給水管からの水がホース２５へ供給された場合、ホース２５からの水は、収納時ノズル洗浄器７０からの洗浄水としてノズル３０の洗浄に活用される。
またノズル孔は、２種類の異なる形状のノズル孔３１とノズル孔３２で構成されている。ノズル孔３１はおしり用ノズル孔（パワフル）として、ノズル孔３２はおしり用ノズル孔（マイルド）として、それぞれ構成される。図４、５に示すように、ノズル３０の内部には、２つの洗浄水流路８１、８２が設けられており、洗浄水流路８１の出口はノズル孔３１と連通され、洗浄水流路８２の出口はノズル孔３２と連通されている。２つの洗浄水流路の入口には、それぞれホース２１、２２の一端がノズル３０の後端の開口から挿入されて接続され、ホース２１、２２の他端には、第一切り替えバルブが接続されている。また、ノズル３０の形状は、前後方向に延びる筒状であり、ノズル３０はノズル３０の一部に平面部を有する。ノズル３０は、平面部にノズル孔３１、３２を備えている（図６参照）。なお、本発明を実施するための形態において、ノズル３０の前後方向から見た断面は、略楕円形である（図６参照）が、略楕円形に限らず、略三角形や略四角形などで構成されてもよい。
【００１０】
図７はシリンダ４０を構成する半円筒部材４１、４２の外観斜視図および内周面側の平面図である。シリンダ４０は、前端と後端とが開口した円筒状の回転体であり、ノズル３０を包囲するようにノズル３０の外径よりも大きい内径を有する。シリンダ４０は、２つの半円筒部材４１、４２の周方向の端面同士が突き合わされて形成される。半円筒部材４１、４２の外周面には、図５に示すように、半円筒部材４１、４２の周方向の端面同士が突き合わされた状態で環状をなすようにそれぞれ半円状に形成された外周リブ４４が形成されている。また、半円筒部材４１、４２の内周面には、図７に示すように、シリンダ４０の軸方向に対して傾斜して延びる複数の内周リブ４５が形成されている。複数の内周リブ４５は、半円筒部材４１、４２の周方向の端面同士が突き合わされた状態で、隣接する内周リブ４５間の溝が螺旋状につながる螺旋溝を形成する。螺旋溝は、本実施形態では３つの幅狭螺旋突起３６のうち対応する幅狭螺旋突起３６がそれぞれ嵌合する狭い溝幅の３つの幅狭螺旋溝４６および幅広螺旋突起３７が嵌合する広い溝幅の１つの幅広螺旋溝４７、すなわち計４条の螺旋溝がお互いに並列に螺旋を描くように形成されている。幅広螺旋突起３７は、幅狭螺旋溝４６には嵌合させることができず、幅広螺旋溝４７にのみ嵌合させることができる。また、複数の内周リブ４５は、図７に示すように、周方向に分割されており、周方向に隣接する内周リブ４５間の溝により排水溝４８を形成する。排水溝４８は、幅狭螺旋溝４６および幅広螺旋溝４７を横切るようにシリンダ４０の先端の開口縁まで延びており、シリンダ内に侵入した水を当該シリンダ４０の傾斜により溝に沿って外部へ排出する。
【００１１】
また、半円筒部材４１の後端部の外周面には、図５に示すように、回転ギヤ４３が設けられている。本実施形態では、回転ギヤ４３は、カバー５０の外径からはみ出さないよう、カバー５０の外径よりも小さな外径を有するように形成されている。回転ギヤ４３はモータ２６の回転軸に取り付けられた駆動ギヤ２８と噛合されている。シリンダ４０は、モータ２６により回転ギヤ４３を回転駆動することで回転ギヤ４３と一体に回転する。シリンダ４０の内周面に形成される幅狭螺旋溝４６、幅広螺旋溝４７には、それぞれノズル３０の後端部の外周面に設けられたノズルテール３５の幅狭螺旋突起３６、幅広螺旋突起３７が嵌合し、ノズル３０は、シリンダ４０が回転することにより幅狭螺旋突起３６、幅広螺旋突起３７が対応する螺旋溝に沿って相対的に移動しながら収納位置と局部洗浄位置との間で前後に進退する。また、シリンダ４０の後端部にフックによって取り付けられた駆動ギヤカバー２７を有する。駆動ギヤカバー２７はホース２１および２２を通す貫通孔が設けられている。駆動ギヤカバー２７によって駆動ギヤ部に埃等の異物の侵入を防ぐことができる。
【００１２】
ここで、ノズル３０は、収納位置にあるときに排水溝４８が下側に位置するようにシリンダ４０に対して所定の回転位相に位相合わせされている。本実施形態では、ノズル３０が収納位置にあるとき排水溝４８が下側に位置するように、ノズル３０の幅広螺旋突起３７とシリンダ４０の幅広螺旋溝４７との関係を定めるものとした。幅広螺旋突起３７は幅広螺旋溝４７にしか嵌合できないため、ノズル３０をシリンダ４０に対して所定の回転位相で組み付ける際の誤組付けを防止することができる。
また、半円筒部材４１、４２は、本実施形態では、外周面を形成する凹型と内周面を形成する凸型との間の空間に樹脂材料を射出注入し、樹脂材料を冷却固定化させる射出形成によって形成され、半円筒部材４１、４２には回転ギヤ４３や内周リブ４５が一体に形成されている。また内周リブ４５は図７に示すように、半円筒部材４１、４２の内周面の周方向における両端部に形成されておらず、射出形成の際の型抜き（凸型の型抜き）をスムーズに行うことができる。
カバー５０は、前端と後端とが開口された円筒部材であり、シリンダ４０を包囲してシリンダ４０を回転自在に支持するようにシリンダ４０の外径よりも若干大きな内径を有する。カバー５０は、図５に示すように、２つの半円筒部材５１、５２の周方向の端面同士が突き合わされて形成される。カバー５０の内周面には２つの半円筒部材５１、５２の周方向の端面同士が突き合わされた状態で環状をなすように半円状の内周溝５３が形成されており、内周溝５３には、シリンダ４０の外周リブ４４が嵌合される。本実施形態では、カバー５０の内周溝５３はシリンダ４０の外周リブ４４の高さよりも浅い深さを有しており、シリンダ４０は、少ない摩擦抵抗で回転自在にカバー５０に支持される。また、カバー５０（半円筒部材５２）の後端部の外周面には径方向に延びる固定板５４が一体的に設けられ、固定板５４にはモータ２６のハウジングが固定されている。また、カバー５０（半円筒部材５２）の前端部の外周面下部には排水を行うための排水孔５５が形成されており、カバー５０の前端部に溜まった水を良好に外部に排出することができる（図８参照）。
ノズル洗浄器６０は、カバー５０の前端部に取り付けられ、ノズル３０に向かって洗浄水を噴出する。ノズル洗浄器６０には、ホース２４の一端が接続され、ホース２４の他端には、第一切り替えバルブ（図示なし）が接続される。
【００１３】
収納時ノズル洗浄器７０は、カバー５０の上部に設けられた開口部５６（図５参照）に取り付けられ、ノズル３０が収納位置にあるときにノズル３０を収納位置から動かさずにノズル３０の全体または一部を清潔にすることができる。本実施形態では、図９に示すように、収納時ノズル洗浄器７０は、ノズル３０のノズル孔３１または３２が設けられている平面部と側面の曲面部との境界部に向かって洗浄水を噴出する噴出孔７２を有する。収納時ノズル洗浄器７０の側面に設けられた４つの爪部７３は、カバー５０に設けられた４つの嵌合穴７１に嵌合させることで取り付けられる。収納時ノズル洗浄器７０には、ホース２５の一端が接続され、ホース２５の他端には、第二切り替えバルブ（図示しない）が接続されている。また、収納時ノズル洗浄器７０は、二つの樹脂製部品を超音波溶着して、ホース２５から供給された洗浄水を通すための空洞が設けられている（図９（ｄ）参照）。
第二切り替えバルブは、下流の洗浄水流路の洗浄水の供給先を収納時ノズル洗浄器７０とサーミスタのどちらにするのか切り替えるものである。サーミスタに供給された洗浄水はバキュームブレーカに供給され、第一切り替えバルブに供給される。第一切り替えバルブは、バキュームブレーカよりも下流の洗浄水流路の洗浄水の供給先を複数のノズル孔３１、３２およびノズル洗浄器６０の噴出孔のいずれから噴出させるのかを切り替えるものである。例えば、第一切り替えバルブ、第二切り替えバルブはモータにより駆動されるロータリバルブとして構成される。
こうして構成された実施形態のノズルユニット２０の組付けは、以下のようにして行われる。すなわち、駆動ギヤカバー２７にホース２１、２２を挿通させてホース２１、２２の一端をノズル３０に接続する。続いて、ノズル３０の幅狭螺旋突起３６、幅広螺旋突起３７をそれぞれ半円筒部材４１、４２の幅狭螺旋溝４６、幅広螺旋溝４７に嵌合させると共に半円筒部材４１、４２を閉じて円筒状のシリンダ４０とする。次に、シリンダ４０の外周リブ４４を半円筒部材５１、５２の内周溝５３に嵌合させ、半円筒部材５１、５２を閉じて円筒状のカバー５０とする。さらに、モータ２６をカバー５０（半円筒部材５２）の固定板５４に固定すると共にシリンダ４０の回転ギヤ４３と所定の噛み合い位置で噛み合うようにモータ２６の回転軸に駆動ギヤ２８を圧入する。そして、カバー５０の前端部にノズル洗浄器６０、後端部にホース２１、２２を挿通させた駆動ギヤカバー２７、上部に収納時ノズル洗浄器７０をそれぞれ取り付けるとノズルユニット２０が完成する。駆動ギヤ２８と回転ギヤ４３には、それぞれの指定の噛み合い歯にマークが付いている。これにより、作業者は、噛み合い位置を把握することができ、駆動ギヤ２８の組み付け作業を容易に行うことができる。
次に衛生洗浄便座装置１０の動作について説明する。衛生洗浄便座装置１０の制御装置は、着座センサ１３により使用者が便座１４に着座していると判定し、かつ、操作パネル１８のおしり用洗浄スイッチパワフル（マイルド）が押下されておしり洗浄パワフル（マイルド）の開始が指示されたと判断されると、モータ２６により駆動ギヤ２８と噛合する回転ギヤ４３を回転させ、シリンダ４０を回転させる。シリンダ４０が回転すると、ノズル３０に設けられた幅狭螺旋突起３６、幅広螺旋突起３７がシリンダ４０の内周面に形成された幅狭螺旋溝４６、幅広螺旋溝４７に沿って相対的に移動し、ノズル３０はおしり洗浄用の局部洗浄位置に向かって進出する。ノズル３０が局部洗浄位置に到達すると、制御装置は、ノズル３０のノズル孔３１（３２）にバキュームブレーカからの洗浄水がホース２１（ホース２２）を介して供給されるよう第一切り替えバルブを制御する。これにより、ノズル孔３１（３２）から人体の肛門部に向かって洗浄水が噴出され、おしり洗浄が開始される。制御装置は、操作パネル１８の停止スイッチが押下されて、おしり洗浄の停止が指示されたと判定すると、ノズル３０への洗浄水の供給を停止する。そしてモータ２６により回転ギヤ４３を逆回転させ、ノズル３０を収納位置に後退させ、シリンダ４０内に収納させる。制御装置は、ノズル３０が局部洗浄位置から収納位置に到達した時に、収納時ノズル洗浄器７０からノズル３０に向かって洗浄水が噴出されるように第二切り替えバルブを制御する。噴出された洗浄水は、カバー５０の開口部５６およびシリンダ４０の開口部４９を通って、ノズル３０を洗浄する。
なお、衛生洗浄便座装置１０として、おしり洗浄用のノズル３０を含むノズルユニット２０を説明したが、おしり洗浄用のノズルユニット２０のみに限られず、ビデ洗浄用のノズル３８を併設してもよい（図１０参照）。
図１０において、衛生洗浄便座装置１０の制御装置は、着座センサ１３により使用者が便座１４に着座していると判定し、かつ、操作パネル１８のビデ用洗浄スイッチが押下されてビデ洗浄の開始が指示されたと判断されると、モータ２６により駆動ギヤ２８と噛合する回転ギヤ４３を回転させ、シリンダ４０を回転させる。シリンダ４０が回転すると、ノズル３８に設けられた幅狭螺旋突起３６、幅広螺旋突起３７がシリンダ４０の内周面に形成された幅狭螺旋溝４６、幅広螺旋溝４７に沿って相対的に移動し、ノズル３８はビデ洗浄用の局部洗浄位置に向かって進出する。ノズル３８が局部洗浄位置に到達すると、制御装置は、ビデ洗浄用ノズル３８のノズル孔３３にバキュームブレーカからの洗浄水がホース２３を介して供給されるよう第一切り替えバルブを制御する。これにより、ノズル孔３３から人体のビデ部に向かって洗浄水が噴出され、ビデ洗浄が開始される。制御装置は、操作パネル１８の停止スイッチが押下されて、ビデ洗浄の停止が指示されたと判定すると、ノズル３８のへの洗浄水の供給を停止する。そしてモータ２６により回転ギヤ４３を逆回転させ、ノズル３８を収納位置に後退させ、シリンダ４０内に収納させる。制御装置は、ノズル３８が局部洗浄位置から収納位置に到達した時に、収納時ノズル洗浄器７０からノズル３８に向かって洗浄水が噴出されるように第二切り替えバルブを制御する。噴出された洗浄水は、カバー５０の開口部５６およびシリンダ４０の開口部４９を通って、ノズル３８を洗浄する。
人体局部洗浄やノズル洗浄器６０によるノズル洗浄等によって、洗浄後の水がノズル３０の外周面に付着し、ノズル３０がシリンダ４０内へ収納されることで、付着した水がシリンダ４０の内部に浸入する場合がある。水がシリンダ４０内に浸入すると、シリンダ４０の回転に伴って幅狭螺旋溝４６、幅広螺旋溝４７を摺動する幅狭螺旋突起３６、幅広螺旋突起３７により、浸入した水がシリンダ４０の後方に送り出される。シリンダ４０の後方に送り出された水は、シリンダの後端の開口から漏れ出ることで、人体局部洗浄装置の故障の原因となる虞がある。また、シリンダ４０内に水が浸入すると、幅狭螺旋溝４６、幅広螺旋溝４７の摺動する幅狭螺旋突起３６、幅広螺旋突起３７の摺動抵抗が増加し、モータ２６の負荷が増加する虞もある。本実施形態では、シリンダ４０の内周面に、幅狭螺旋溝４６、幅広螺旋溝４７を横切るように軸方向に延びる排水溝４８を形成し、ノズル３０が収納位置にあるときに排水溝４８が下側に位置するように、幅狭螺旋溝４６、幅広螺旋溝４７にそれぞれ幅狭螺旋突起３６、幅広螺旋突起３７を嵌合させる。これによりシリンダ４０内に水が浸入しても、浸入した水をノズル３０の収納時にシリンダ４０の傾斜により排水溝４８に沿って排水することができる。したがって、本実施形態のノズルユニット２０では、シリンダ４０内への水の浸入に伴う人体局部洗浄装置の故障およびモータ２６の負荷が増加する不具合は生じない。
ノズル３０を収納時に、収納時ノズル洗浄器７０からの洗浄水で洗浄した際に、シリンダ４０とカバー５０との隙間に洗浄後の水が浸入する場合がある。シリンダ４０とカバー５０との隙間に水が浸入すると、浸入した水が排出されず、シリンダ４０とカバー５０との隙間に水が溜まり、不衛生になる虞がある。本実施形態では、カバー５０（半円筒部材５２）の前端部の外周面下部には排水を行うための排水孔５５が形成されており、カバー５０の前端部に溜まった水を良好に外部に排出することができる。したがって、本実施形態のノズルユニット２０では、シリンダ４０内への水の侵入に伴うシリンダ４０とカバー５０との隙間に溜まり、不衛生になる事は生じない。
以上説明した、本実施形態の人体局部洗浄装置では、収納時ノズル洗浄器７０は、カバー５０の上部に設けられた開口部５６（図５参照）に取り付けられ、ノズル３０のノズル孔３１、３２が設けられている平面部と側面の曲面部との境界部に向かって洗浄水を噴出する噴出孔７２を有している。これにより、ノズル３０が収納位置にあるときにノズル３０を収納位置から動かさずにノズル３０の全体または一部を清潔にすることができる。また、収納時ノズル洗浄器７０は側面に設けられた４つの爪部７３とカバー５０に設けられた４つの嵌合穴７１を嵌合させることで取り付けられるため、ネジの締結により固定されているものより小型化ができ、取り外すこともできる。
また、本実施形態の人体局部洗浄装置では、シリンダ４０の内周面に設けられた幅狭螺旋溝４６および幅広螺旋溝４７とノズル３０の後端部のノズルテール３５に設けられた幅狭螺旋突起３６および幅広螺旋突起３７とが嵌合し、シリンダ４０の回転に伴ってノズル３０が進退移動するものにおいて、幅広螺旋溝４７の溝幅を幅狭螺旋溝４６よりも広くし、幅広螺旋溝４７と嵌合する幅広螺旋突起３７の大きさを幅狭螺旋溝４６と嵌合する幅狭螺旋突起３６の大きさよりも大きくする。これにより、複数条の螺旋溝（幅狭螺旋溝４６および幅広螺旋溝４７）のうち嵌合する突起（幅狭螺旋突起３６および幅広螺旋突起３７）が１つ決まるため、シリンダ４０とノズル３０との位相合わせをより容易にすることができる。
さらに、本実施形態の人体局部洗浄装置では、シリンダ４０の内周面に、幅狭螺旋溝４６、幅広螺旋溝４７を横切るように軸方向に延びる排水溝４８を形成し、ノズル３０が収納位置あるときに排水溝４８が下側に位置するように、幅狭螺旋溝４６、幅広螺旋溝４７にそれぞれ幅狭螺旋突起３６、幅広螺旋突起３７を嵌合させる。これによりシリンダ４０内に水が浸入しても、浸入した水をノズル３０の収納時にシリンダ４０の傾斜により排水溝４８に沿って排水することができる。また、ノズル３０を収納時に収納時ノズル洗浄器７０で洗浄した際に、シリンダ４０とカバー５０との隙間に収納時ノズル洗浄器７０から噴出された洗浄水が浸入する場合があるが、カバー５０（半円筒部材５２）の前端部の外周面下部には排水を行うための排水孔５５が形成されており、カバー５０の前端部に溜まった水を良好に外部に排出することができる。
本実施形態の人体局部洗浄装置では、収納時ノズル洗浄器７０は側面に設けられた４つの爪部７３とカバー５０に設けられた４つの嵌合穴７１を嵌合させることで取り付けられるものとしたが、収納時ノズル洗浄器７０がカバー５０に取り付けられればよく、収納時ノズル洗浄器７０とカバー５０を溶着などしてもよい。また、収納時ノズル洗浄器７０は側面に設けられた爪部７３とカバー５０に設けられた嵌合穴７１の数は４つに限られず、２つ、３つなどでもよく、収納時ノズル洗浄器７０がカバー５０に取り付けられればよい。
本実施形態の人体局部洗浄装置では、収納時ノズル洗浄器７０はノズル３０のノズル孔３１、３２が設けられている平面部と側面の曲面部との境界部に向かって洗浄水を噴出する噴出孔７２を有しているものとしたが、噴出孔の大きさ、位置および数は、これに限らず、ノズル３０全体を洗浄できればよい。
本実施形態の人体局部洗浄装置では、収納時ノズル洗浄器７０には、ホース２５の一端が接続され、ホース２５の他端には、第二切り替えバルブが接続されており、収納時ノズル洗浄器７０は、二つの樹脂製部品を超音波溶着して、ホース２５から供給された洗浄水を通すための空洞が設けられている（図９（ｄ）参照）としたが、これに限られず、別の構造のユニットでもよい。例えば、紫外線を照射する紫外線照射ユニットをノズルを清潔にする取付部材として取り付け、ノズル３０に紫外線を照射することでノズル３０の殺菌をしてもよい。
本実施形態の人体局部洗浄装置では、ノズル３０に２つのホース２１、２２を接続し、対応するホースからの洗浄水を噴出する２つのノズル孔３１、３２をそれぞれおしりパワフル洗浄用とおしりマイルド洗浄用として用いるものとしたが、それぞれおしり洗浄用とビデ洗浄用として用いる等、他の異なる用途に用いるものでもよい。
本実施形態の人体局部洗浄装置では、シリンダ４０の外周面に環状の外周リブ４４を形成し、カバー５０の内周面に外周リブ４４に嵌合される環状の内周溝５３を形成するものとしたが、シリンダ４０の外周面に外周溝を形成し、カバー５０の内周面に外周溝に嵌合する内周リブを形成してもよい。リブは、必ずしも環状に形成されたものに限られず、円弧状に形成されてもよく、溝と嵌合可能であればいかなる形状であってもよい。
本実施形態では、複数条の螺旋溝として、シリンダ４０の内周面に複数（３つ）の幅狭螺旋溝４６と１つの幅広螺旋溝４７を設け、複数の突起として、ノズル３０の後端部（ノズルテール３５）の外周面にそれぞれ対応する螺旋溝と嵌合する複数（３つ）の幅狭螺旋突起３６と１つの幅広螺旋突起３７とを設けるものとしたが、これに限られず、シリンダ４０の内周面に複数の幅広螺旋溝と１つの幅狭螺旋溝を設け、ノズル３０の後端部の外周面にそれぞれ対応する螺旋溝と嵌合する複数の幅広螺旋突起と１つの幅狭螺旋突起とを設けるものとしてもよい。
本実施形態では、複数条の螺旋溝として、幅狭螺旋溝４６と幅広螺旋溝４７とを設けるもの、すなわち複数条の螺旋溝の溝幅を異ならせるものとしたが、これに限られず、溝の深さまたは断面形状を異ならせてもよい。この場合、溝幅、溝の深さ、断面形状のうちのいずれか２つを異ならせるものや全てを異ならせるものなど、少なくとも１つを異ならせるものであればよい。また、螺旋溝に嵌合させる突起は、例えば、溝の深さが他の螺旋溝よりも深い螺旋溝に嵌合させる突起の高さを他の突起よりも高くし、断面形状に応じた外形が与えられているものとすればよい。このように、少なくとも１つの螺旋溝が他の螺旋溝と断面形状が異なる複数条の螺旋溝と、当該複数条の螺旋溝のうち対応する螺旋溝の断面形状に応じた外形がそれぞれ与えられた複数の突起とを有するものであってもよい。
【００１４】
また、本実施形態では、複数条の螺旋溝のうち１つの溝（幅広螺旋溝４７）が当該１つの溝以外の他の溝（幅狭螺旋溝４６）の全てと断面形状が異なり且つ当該他の溝は全てお互いに断面形状が同じだったものとしたが、これに限られず、複数条の螺旋溝のうち１つの螺旋溝が当該１つの溝以外の他の溝の全てと断面形状が異なると共に他の１つの螺旋溝が当該他の１つの溝以外の他の溝（上記１つの溝を含む）の全てと断面形状が異なるものとしてもよいし、複数条の螺旋溝の全てが互いに断面形状が異なるものとしてもよい。すなわち、少なくとも１つの螺旋溝が他の螺旋溝と断面形状が異なるものであればよい。
【００１５】
本実施形態では、シリンダ４０と同軸に回転するようにシリンダ４０の後端部の外周面に外歯の回転ギヤ４３を設けるものとしたが、これに限定されるものではなく、シリンダ４０の後端部にシリンダ４０と同軸に取り付けられる駆動ギヤがかさ歯車と噛合するようにモータを配置するものとしてもよい。
【００１６】
本実施形態では、シリンダ４０は、２つの半円筒部材４１、４２により形成されるものとしたが、これに限定されるものではなく、単一の円筒部材により形成されてもよいし、３つ以上の円弧状に湾曲した部材により形成されてもよい。
【００１７】
以上、本発明を実施するための形態について実施形態を用いて説明したが、本発明はこうした実施形態に何等限定されるものではなく、本発明の要旨を逸脱しない範囲において、種々なる形態で実施し得ることは勿論である。
【産業上の利用可能性】
【００１８】
本発明は、人体局部洗浄装置の製造産業などに利用可能である。
【符号の説明】
【００１９】
１     便器
１０   衛生洗浄装置
１２   便座装置本体
１３   着座センサ
１４   便座
１６   便蓋
１８   操作パネル
２０   ノズルユニット
２１   ホース（パワフル用）
２２   ホース（マイルド用）
２３   ホース（ビデ用)
２４   ホース（ノズル洗浄用）
２５   ホース（収納時ノズル洗浄用)
２６   モータ
２７   駆動ギヤカバー
２８   駆動ギヤ
３０   ノズル（おしり洗浄用）
３１   おしり用ノズル孔（パワフル用）
３２   おしり用ノズル孔（マイルド用）
３３   ビデ用ノズル孔
３５   ノズルテール
３６   幅狭螺旋突起
３７   幅広螺旋突起
３８   ノズル（ビデ洗浄用）
４０   シリンダ
４１   半円筒部材（シリンダ）
４２   半円筒部材（シリンダ)
４３   回転ギヤ
４４   外周リブ
４５   内周リブ
４６   幅狭螺旋溝
４７   幅広螺旋溝
４８   排水溝
４９   開口部（シリンダ）
５０   カバー
５１   半円筒部材（カバー）
５２   半円筒部材（カバー)
５３   内周溝
５４   固定板
５５   排水孔
５６   開口部（カバー）
６０   ノズル洗浄器
７０   収納時ノズル洗浄器
７１   嵌合穴
７２   噴出孔
７３   爪部
８１   洗浄水流路（パワフル用）
８２   洗浄水流路（マイルド用）
【図１】
2020041361.tif 000003
【図２】
2020041361.tif 000004
【図３】
2020041361.tif 000005
【図４】
2020041361.tif 000006
【図５】
2020041361.tif 000007
【図６】
2020041361.tif 000008
【図７】
2020041361.tif 000009
【図８】
2020041361.tif 000010
【図９】
2020041361.tif 000011
【図１０】
2020041361.tif 000012